(57)【要約】【課題】焼却プラントにおける燃焼排ガスの熱を効率よく回収できると共に、安定して効率よく排水を濃縮処理することができる焼却プラントの排水処理方法を提供する。【解決手段】焼却装置１と、燃焼排ガスの熱回収装置２と、該熱回収装置で熱回収された燃焼排ガスをさらに減温させる減温装置３とを備えた焼却プラントから排出される排水の排水処理方法であって、焼却プラントから排出される排水を分離膜によって透過水と濃縮水とに分離する膜分離工程６を行い、該濃縮水の少なくとも一部を減温装置３に吹き込むことにより燃焼排ガスを減温させる。焼却プラント排水のうち、ボイラ保缶水、ボイラブロー水、冷却塔ブロー水、及び雑排水の少なくとも２種を混合した混合排水を膜分離処理工程６に供給する。【選択図】図２
2016190223.tif 000002
【特許請求の範囲】
【請求項１】
有機物を燃焼させる焼却装置と、該焼却装置から排出される燃焼排ガスの熱を回収する熱回収装置と、該熱回収装置で熱回収された燃焼排ガスをさらに減温させる減温装置とを備えた焼却プラントから排出される排水の排水処理方法であって、
焼却プラントから排出される排水を分離膜によって透過水と濃縮水とに分離する膜分離工程を行い、該濃縮水の少なくとも一部を前記減温装置に供給し前記燃焼排ガス中に吹き込んで蒸発させることにより燃焼排ガスを減温させる焼却プラントの排水処理方法において、
焼却プラント排水のうち、ボイラ保缶水、ボイラブロー水、冷却塔ブロー水、及び雑排水の少なくとも２種を混合した混合排水を前記膜分離処理工程に供給することを特徴とする焼却プラントの排水処理方法。
【請求項２】
請求項１において、前記雑排水は、中和、凝集、沈殿、濾過、及び生物処理の内の少なくとも１つを有する第１の予備処理工程で処理されてから混合されて前記混合排水とされることを特徴とする焼却プラントの排水処理方法。
【請求項３】
請求項１又は２において、前記混合排水を濾過器、ＭＦ膜、又はＵＦ膜を用いた前処理装置で処理した後、前記膜分離工程において、ＲＯ膜によって膜分離処理することを特徴とする焼却プラントの排水処理方法。
【請求項４】
請求項２において、前記混合排水を濾過器、ＭＦ膜、又はＵＦ膜を用いた前処理装置で処理した後、前記膜分離工程において、ＲＯ膜によって膜分離処理し、該前処理装置の濃縮水又は逆洗排水を前記第１の予備処理工程に送ることを特徴とする焼却プラントの排水処理方法。
【請求項５】
請求項１ないし４のいずれか１項において、焼却プラントの床洗浄排水及び洗車排水の少なくとも一方を、ＲＯ処理することなく、前記減温装置へ供給することを特徴とする焼却プラントの排水処理方法。
【請求項６】
請求項１ないし４のいずれか１項において、焼却プラントの床洗浄排水及び洗車排水の少なくとも一方を中和、凝集、沈殿、濾過、生物処理の内の少なくとも１つを有する第２の予備処理工程で処理した後、前記減温装置へ供給することを特徴とする焼却プラントの排水処理方法。
【発明の詳細な説明】
【技術分野】
【０００１】
本発明は、焼却プラントから排出される排水の処理方法に関する。
【背景技術】
【０００２】
有機物を燃焼させる焼却装置と、該焼却装置から排出される燃焼排ガスの熱を回収する熱回収装置と、熱回収された燃焼排ガスをさらに減温させる減温装置とが備えられた焼却プラントから排出される排水の処理方法としては、該排水を凝集剤などによって凝集処理した後に濾過処理する排水処理方法などが知られている。
【０００３】
また、焼却プラントから排出される排水を凝集剤などによって凝集処理した後に生物処理を行い、さらに砂濾過によって濾過処理する排水処理方法も知られている（特許文献１）。特許文献１には、この排水処理方法によって浄化された浄化水の大部分を放流できることが記載されている。
【０００４】
近年、焼却プラントから排出される排水の処理により生じた浄化水を極力放流しないことが求められている。
【０００５】
焼却プラントから排出される排水の処理により生じた浄化水を極力放流しないようにするために、浄化水の一部を減温塔などの減温装置に噴射等して気化させ浄化水の容量を減らすことが行われている。この方法では、詳しくは、廃熱ボイラなどの熱回収装置で燃焼排ガスから熱回収された後の燃焼排ガスに対して、減温装置において浄化水を噴射等することにより、浄化水を気化させてその容量を減らし、一方でその気化熱によって燃焼排ガスを減温する。
【０００６】
このように、排水処理によって浄化された浄化水を極力放流しないように、極力多くの浄化水を減温装置に供給する場合、減温装置の上流側にある廃熱ボイラなどの熱回収装置において、燃焼排ガスから回収する熱量を少なく設定せざるを得ない。即ち、減温装置において多量の浄化水を蒸発させるために、熱回収装置における燃焼排ガスからの熱回収量を少なくすることが必要となり、焼却プラントにおける燃焼排ガスからの熱回収効率が低くなる。
【０００７】
この減温装置に噴射される水量を減らすために、特許文献２には、焼却プラント排水をＭＦ膜で処理し、その透過水をＲＯ膜処理し、ＭＦ膜の濃縮水とＲＯ膜の濃縮水とを減温装置に供給することが記載されている。
【０００８】
この方法であれば排水をＭＦ膜及びＲＯ膜で濃縮することにより、減温装置に噴霧する水量を減らすことが出来、熱回収量の減少を抑えることができる。
【０００９】
しかしながら、焼却プラントから排出される排水は多種多様であり、水質によっては膜を閉塞させ、十分な減量が出来ない、あるいは運転が安定しない、あるいは頻繁なメンテナンス、洗浄処理が必要になるといった問題があった。また、膜濾過装置の逆洗水は排水中のＳＳが濃縮された状態の水であるため、噴霧時のノズルが閉塞し、メンテナンスが必要である、といった欠点があった。
【先行技術文献】
【特許文献】
【００１０】
【特許文献１】特開平１０−９９８９８号公報
【特許文献２】特許５６３６１６３号公報
【発明の概要】
【発明が解決しようとする課題】
【００１１】
本発明は、焼却プラントにおける燃焼排ガスの熱を効率よく回収できると共に、安定して効率よく排水を濃縮処理することができる焼却プラントの排水処理方法を提供することを目的とする。
【課題を解決するための手段】
【００１２】
本発明の焼却プラントの排水処理方法は、有機物を燃焼させる焼却装置と、該焼却装置から排出される燃焼排ガスの熱を回収する熱回収装置と、該熱回収装置で熱回収された燃焼排ガスをさらに減温させる減温装置とを備えた焼却プラントから排出される排水の排水処理方法であって、焼却プラントから排出される排水を分離膜によって透過水と濃縮水とに分離する膜分離工程を行い、該濃縮水の少なくとも一部を前記減温装置に供給し前記燃焼排ガス中に吹き込んで蒸発させることにより燃焼排ガスを減温させる焼却プラントの排水処理方法において、焼却プラント排水のうち、ボイラ保缶水、ボイラブロー水、冷却塔ブロー水、及び雑排水の少なくとも２種を混合した混合排水を前記膜分離処理工程に供給することを特徴とするものである。
【００１３】
本発明の一態様では、雑排水は、中和、凝集、沈殿、濾過、及び生物処理の内の少なくとも１つを有する第１の予備処理工程で処理されてから混合されて前記混合排水とされる。
【００１４】
本発明の一態様では、混合排水を濾過器、ＭＦ膜、又はＵＦ膜を用いた前処理装置で処理した後、前記膜分離工程において、ＲＯ膜によって膜分離処理する。
【００１５】
本発明の一態様では、混合排水を濾過器、ＭＦ膜、又はＵＦ膜を用いた前処理装置で処理した後、前記膜分離工程において、ＲＯ膜によって膜分離処理し、該前処理装置の濃縮水又は逆洗排水を前記第１の予備処理工程に送る。
【００１６】
本発明の一態様では、焼却プラントの床洗浄排水及び洗車排水の少なくとも一方を、ＲＯ処理することなく、前記減温装置へ供給する。
【００１７】
本発明の一態様では、焼却プラントの床洗浄排水及び洗車排水の少なくとも一方を中和、凝集、沈殿、濾過、生物処理の内の少なくとも１つを有する第２の予備処理工程で処理した後、前記減温装置へ供給する。
【発明の効果】
【００１８】
本発明の排水処理方法においても、特許文献２と同様に、膜分離工程において、焼却プラントから排出された前記排水を分離膜によって濃縮して容積が減じられた濃縮水とし、この濃縮水を減温装置に供給するので、減温装置への供給濃縮水量が少なく、減温装置に導入する燃焼排ガスの温度を低くすることができる。この結果、減温装置の上流側に設置された熱回収装置において燃焼排ガスから回収する熱量を大きくすることができる。
【００１９】
本発明に係る排水処理方法においては、混合排水を好ましくはＲＯ膜により膜分離処理する。
【００２０】
ボイラ保缶水、ボイラブロー水、冷却水ブロー水中には、処理の安定化、効率化のために、分散剤やスライムコントロール剤などの水処理薬品が含まれている。これらの薬品として、膜処理に悪影響を及ぼさず、膜処理の安定化に寄与するものを選択して使用することにより、ＲＯ膜処理に際して、水処理薬品を新たに全く又は殆ど添加することなく、安定して膜分離処理することが可能となる。
【００２１】
特に、ボイラブロー水、冷却水ブロー水に含まれる分散剤は凝集処理の阻害要因となる。また、スライムコントロール剤は生物処理に悪影響があり、生物活性が低下するケースがある。本発明の一態様では、これらの水を砂濾過、ＭＦ膜又はＵＦ膜よりなる簡単な前処理を施した後、膜分離処理するので、排水処理設備の大きさを小さくすることができる。
【００２２】
本発明に係る排水処理方法の一態様では、雑排水を中和、凝集、沈殿、濾過、生物処理の内の少なくとも一つを有する予備処理工程で処理し、排水中のＳＳ分、有機成分を除去した上で、膜処理で濃縮操作を行う。このように、雑排水を予備処理することにより、排水に含まれるＳＳ分、有機成分を減少させることができ、分離膜の目詰まりが起こりにくく、分離膜の継続使用期間を長くすることができる。また、これにより、前記分離膜の交換頻度が低くなり、前記濃縮水を効率的に得ることができ、焼却プラントにおける燃焼排ガスの熱をより効率よく回収できる。
【００２３】
前処理装置の濃縮水又は逆洗水についても、第１の予備処理工程で処理し、ＳＳ分、有機成分を除去することが好ましい。ただし、第２の予備処理工程で処理してもかまわない。
【００２４】
洗車排水、床洗浄排水については、膜処理せずに減温装置にて噴霧することが好ましい。洗車排水や床洗浄排水には油分、界面活性剤など、ＭＦ膜やＲＯ膜を閉塞させる物質が含まれることがあり、またその濃度が一定でなく、安定的な処理が困難になることがある。従って、洗車排水、床洗浄排水については、中和、凝集、沈殿、濾過、生物処理の内の少なくとも一つを有する第２の予備処理工程で処理し、固液分離、有機成分の除去を行ったうえで、減温装置にて噴霧することが好ましい。
【００２５】
なお、本発明では、混合排水は、ボイラ保缶水以外の排水を混合したものであってもよい。
【図面の簡単な説明】
【００２６】
【図１】焼却プラントのブロック図である。
【図２】実施の形態のフロー図である。
【図３】実施例のフロー図である。
【図４】比較例のフロー図である。
【発明を実施するための形態】
【００２７】
以下、図面を参照して本発明に係る排水処理方法の一実施形態について説明する。
【００２８】
本実施形態の排水処理方法が適用される焼却プラントは、図１の通り、有機物を燃焼させる焼却装置１と、該焼却装置１から排出される燃焼排ガスの熱を回収する熱回収装置２と、該熱回装置で熱回収された燃焼排ガス（以下、熱回収燃焼排ガスともいう）をさらに減温させる減温装置３とを有する。なお、さらに他の装置等を備えてもよい。
【００２９】
焼却装置１としては、ストーカ炉、流動床炉、ガス化溶融炉、灰溶融炉等、焼却プラント等を用いることができる。
【００３０】
燃焼する有機物としては、特に限定されるものではないが、例えば、都市ごみ、産業廃棄物、下水汚泥、廃木材などが挙げられる。焼却装置１から排出される燃焼排ガスは、通常、８００〜１３００℃程度の温度になっている。
【００３１】
熱回収装置２は、焼却装置１から排出される燃焼排ガスの熱を回収するものである。熱回収装置２としては廃熱ボイラなどが挙げられる。
【００３２】
減温装置３は、熱回収装置２で熱回収された燃焼排ガス（熱回収燃焼排ガス）をさらに減温させるものである。減温装置３は、熱回収装置２から導入される熱回収燃焼排ガスに水を噴射又は噴霧し、熱回収燃焼排ガスの温度を水の気化熱により低下させるよう構成されている。減温装置３に導入される熱回収燃焼排ガスは、通常、２５０〜４００℃程度の温度になっている。
【００３３】
本発明では、減温装置３への吹き込み水量が特許文献２の場合よりも少ないので、減温装置３への導入排ガス温度を特許文献２よりも低くすることができる。そして、これにより、熱回収装置２での熱回収量を多くすることができる。
【００３４】
減温装置３によって減温された後の排ガスの温度は、通常、１５０〜２００℃程度になっている。このガスは、前記濃縮水の水が気化した水蒸気を含んでいる。この排ガスは、集塵器４等で浄化された後、大気中に放出される。
【００３５】
本発明において、焼却プラントから排出される排水とは、焼却プラントの敷地内で生じる排水を意味している。焼却プラントの敷地内で生じる排水としては、例えば、廃熱ボイラなどの熱回収装置２からブローされるボイラブロー水、停止時に熱回収装置の缶内に満たされ、再起動前に排出されるボイラ保缶水、冷却塔ブロー水、焼却プラントにある床などを洗浄したときに発生する床洗浄排水、廃棄物収集車を洗浄したときに発生する洗車排水のほか、生活排水や雑排水が挙げられる。雑排水としては、焼却炉などの焼却装置１から発生する焼却残渣やスラグを冷却する残渣冷却排水や焼却プラント内で発生する界面活性剤や油分を含まない上記以外の排水が挙げられる。
【００３６】
本発明では、図２のように、ボイラ保缶水、ボイラブロー水及び冷却塔ブロー水（ただし、ボイラ保缶水は除外されてもよい。）を混合した混合排水を、好ましくは前処理５した後、膜分離工程６で膜分離処理する。この濃縮水の少なくとも一部を減温装置３に供給して濃縮水を蒸発させて燃焼排ガスを減温させる。
【００３７】
雑排水については、好ましくは、第１の予備処理７を施した後、ボイラ保缶水、ボイラブロー水及び冷却塔ブロー水と混合し、前処理５に供給する。このように雑排水を予備処理することにより、膜分離工程６の膜の閉塞が抑制される。
【００３８】
前処理５としては、砂濾過器又はＭＦ膜、ＵＦ膜などを用いることができる。
【００３９】
混合排水をこのように前処理することにより、膜分離工程６の膜の閉塞が抑制される。膜分離工程６の膜としてはＲＯ膜が好適である。
【００４０】
雑排水を処理する第１の予備処理７としては、中和、凝集、沈殿、濾過、生物処理の少なくとも１つが好ましい。
【００４１】
洗車排水、床洗浄排水は、ＳＳ分、有機成分を除去する第２の予備処理８を行った後、膜分離工程６からの膜濃縮水と混合され、減温装置３に供給されることが好ましい。第２の予備処理としては、中和、凝集、沈殿、濾過、生物処理の少なくとも１つが好ましい。
【００４２】
前処理５において、ＭＦ膜又はＵＦ膜を用いた場合、ＭＦ又はＵＦ膜濃縮水については第１の予備処理７で処理し、ＳＳ分、有機成分を除去することが好ましい。ただし、第２の予備処理８で処理してもかまわない。前処理５のＭＦ又はＵＦ膜濃縮水を減温装置３で噴霧しないことにより、噴霧ノズルの閉塞を防止し、安定的な減温処理が可能となる。
【００４３】
前述の通り、ボイラ保缶水、ボイラブロー水、及び冷却塔ブロー水中には、処理の安定化、効率化のために、防食剤、分散剤やスライムコントロール剤、復水アミン剤、脱酸素剤などの水処理薬品が含まれている。これらの薬品として、膜処理に悪影響を及ぼさず、膜処理の安定化に寄与するものを選択し、かつ、ボイラ保缶水、ボイラブロー水、及び冷却塔ブロー水を前処理５のみを行ってＲＯ膜処理を行うことで、水処理薬品をＲＯ膜処理のために新たに添加することなく、効率的な膜分離処理が可能となる。なお、薬品濃度が不足する場合には、必要な薬品を添加してもよい。
【００４４】
ボイラブロー水、冷却水ブロー水に含まれる分散剤は凝集処理の阻害要因となる。そのため、ボイラブロー水、冷却水ブロー水を第１の予備処理７に流入させると、凝集剤の必要量が著しく増大する。また、スライムコントロール剤は生物処理に悪影響があり、生物活性が低下するケースがあり、排水処理する場合には別途無害化する必要がある。そこで、これらの水を予備処理せずに前処理５に供給することで、予備処理設備を小さくすることができる。
【００４５】
洗車排水、床洗浄排水については、第２の予備処理８後、減温装置３にて噴霧する。洗車排水や床洗浄排水には油分、界面活性剤など、ＭＦ膜やＲＯ膜を閉塞させる物質が含まれることがあり、またその濃度が一定でなく、安定して膜分離処理することが困難である。そこで、洗車排水、床洗浄排水については、中和、凝集、沈殿、濾過、生物処理の内の少なくとも１つを有する第２の予備処理８で処理し、固液分離、有機成分の除去を行ったうえで、減温装置３にて噴霧する。
【００４６】
第１及び第２の予備処理７，８では、被処理水に含まれるＳＳ分、有機成分を減少させる目的で、前記排水に凝集剤を添加し、主に前記浮遊物を凝集させた後、砂濾過等の濾過処理を行うか、濾過の代りに沈殿工程を行なってもよい。また、負荷が高い場合は加圧浮上工程を追加することもできる。凝集処理を適切に行うために、ｐＨ調整工程を追加することもできる。一連の予備処理工程を実施することにより、凝集物を前記排水から除去し、前記洗車排水及び床洗浄排水に含まれ得るＳＳ分、有機成分を減少させることができる。
【００４７】
第１及び第２の予備処理７，８では、砂濾過装置の代わりにＭＦ膜（浸漬膜）を用いて膜分離活性汚泥法を用いることもできる。ＭＦ膜（浸漬膜）にて捕捉された凝集物は、抜き出された後にごみピットに投入され、焼却装置１にて焼却処理される。
【００４８】
凝集剤としては、例えば、硫酸第一鉄，硫酸第二鉄，塩化第二鉄などの鉄系凝集剤、硫酸アルミニウム（硫酸バンド）、ポリ塩化アルミニウム（ＰＡＣ）などのアルミ系凝集剤、これらの混合物等が例示される。なお、前記凝集剤の添加量は、適宜調整され得る。
【００４９】
また、被処理水に凝集剤として添加する高分子凝集剤としては、例えば、ポリ（メタ）アクリル酸、（メタ）アクリル酸と（メタ）アクリルアミドの共重合物、及び、それらのアルカリ金属塩等のアニオン系の有機系高分子凝集剤、ポリ（メタ）アクリルアミド等のノニオン系の有機系高分子凝集剤、ジメチルアミノエチル（メタ）アクリレートもしくはその４級アンモニウム塩、ジメチルアミノプロピル（メタ）アクリルアミドもしくはその４級アンモニウム塩等のカチオン性モノマーからなるホモポリマー、及び、それらカチオン性モノマーと共重合可能なノニオン性モノマーとの共重合体等のカチオン系の有機系高分子凝集剤、及び上記アニオン性モノマー、カチオン性モノマーやこれらモノマーと共重合可能なノニオン性モノマーとの共重合体である両性の有機系高分子凝集剤が挙げられる。また、高分子凝集剤の添加量にも特に限定はなく、被処理水の性状に応じて調整すればよいが、被処理水に対して概ね固形分で０．０１〜１０ｍｇ／Ｌである。また、ＷＯ２０１１／０１８９７８に記載のフェノール型凝集剤なども使用することができる。
【００５０】
膜分離工程６でＲＯ膜を用いた場合、ＲＯ膜で除去される不純物としては、イオン成分、有機物などが挙げられる。イオン成分としては、例えば、陽イオン性物質、陰イオン性物質などが挙げられ、具体的には、陰イオンとイオン結合して水に溶解しにくいスケールを発生させやすいカルシウムイオン、マグネシウムイオンなどが例示される。また、有機物としては、排水に溶解している水溶性有機物などが挙げられる。
【００５１】
前処理５において、ＭＦ膜を用いた場合、ＭＦ膜表面にスケール、濁質、有機物などが付着することによりＭＦ膜差圧が上昇する。この場合、ＭＦ膜の逆圧洗浄や薬品洗浄を行う。ＭＦ膜の逆圧洗浄においては、ＭＦ膜差圧の上昇をより抑制できる点で、定期的／不定期に次亜塩素酸ナトリウムなどの次亜塩素酸塩を含んだ水で洗浄することが好ましい。
【００５２】
ＭＦ膜は、通常、５０ｎｍ〜１０μｍ程度の孔径の孔を有している。ＭＦ膜としては、例えば、中空糸膜、スパイラル膜、チューブラー膜がベッセル内に保持された膜ユニットを用いることができる。中空糸膜あるいは平膜をそのまま被処理水中に浸漬して用いることもできる。ＭＦ膜の代わりに、２ｎｍ〜２００ｎｍ程度の孔径を有する限外濾過膜（ＵＦ膜）を用いることもできる。
【００５３】
ＭＦ膜としてはＰＶＤＦ、ＵＦ膜としてはポリサルホン、ＲＯ膜ではポリアミドを材質とするものが好適に使用されるがこれに限定されない。
【００５４】
ＲＯ膜としては、例えば、非対称膜の緻密層と微細多孔層とで構成される複合膜が挙げられる。
【００５５】
ＲＯ膜としては、中空糸膜、スパイラル膜、管状膜等の状態で設置された濾過膜が、ベッセル内に保持されたユニットを用いることができる。
【００５６】
なお、冷却水処理等に用いられる分散剤としては、ヘキサメタリン酸ソーダやトリポリリン酸ソーダ等の無機ポリリン酸類、ヒドロキシエチリデンジホスホン酸やホスホノブタントリカルボン酸等のホスホン酸類、マレイン酸、アクリル酸、イタコン酸等のカルボキシル基含有素材、必要に応じてそれとビニルスルホン酸、アリルスルホン酸、２−メタクリルアミド−２−メチルプロパンスルホン酸等のスルホン酸基を有するビニルモノマーや、アクリルアミド等のノニオン性ビニルモノマーを組み合わせたコポリマーなどを使用することができるが、ここに挙げた以外の素材も適用することができる。また、分散剤の第三の成分として、そのほかの成分を使用して、三元重合物を使用することもできる。たとえば第三の成分として、Ｎ−ｔｅｒｔ−ブチルアクリルアミドなどを使用する。分散剤としては、その中でも、ＨＡＰＳ、ＡＭＰＳとアクリル酸および／あるいはメタクリル酸を含む重合物であることが最も好ましい。（なお、ＨＡＰＳは３−アリルオキシ−２−ヒドロキシ−１−プロパンスルホン酸、ＡＭＰＳは２−アクリルアミド−２−メチルプロパンスルホン酸である。）
【００５７】
分散剤の分子量としては１，０００以上３０，０００以下であることが好ましい。分子量が１，０００以下であると十分な分散効果が得られず、３０，０００以上であると前処理膜で除去される恐れが出てくる。
【００５８】
スライムコントロール剤としては、次亜塩素酸ナトリウム（ＮａＣｌＯ）等の次亜塩素酸塩、塩素ガス、クロラミン、塩素化イソシアヌル酸塩などの塩素剤、モノクロルスルファミン酸などの塩素とアミド硫酸、アミド硫酸基を有する化合物の反応した結合塩素剤、ジブロモヒダントインなどの臭素剤、次亜臭素酸ナトリウムなどの次亜臭素酸塩、ＤＢＮＰＡ（ジブロモニトリロプロピオンアシド）、ＭＩＴ（メチルイソチアゾロン）などの有機剤が適用できる。本発明で使用できる塩素系酸化剤としては、上記塩素ガス、次亜塩素酸またはその塩のほか、亜塩素酸またはその塩、塩素酸またその塩、過塩素酸またはその塩、塩素化イソシアヌール酸またはその塩などを用いることができる。塩としては、ナトリウム、カリウム等のアルカリ金属塩、バリウム等のアルカリ土類金属塩、ニッケル等の他の金属塩、アンモニウム塩などが挙げられる。これらは１種以上を用いることができる。これらの中では次亜塩素酸ナトリウムが取扱性に優れるため好ましい。
【００５９】
上記の遊離塩素が結合する窒素化合物としては、アンモニアまたはその化合物、メラミン、尿素、アセトアミド、スルファミド、サイクロラミン酸、スルファミン酸、トルエンスルホンアミド、コハク酸イミド、フタル酸イミド、イソシアヌル酸、Ｎ−クロロトルエンスルホンアミド、尿酸、サッカリンまたはこれらの塩などを挙げることができる。本発明で使用する結合塩素剤は、これらの窒素化合物に上記の遊離塩素が結合したものである。本発明で使用する結合塩素剤としては、上記の窒素化合物と遊離塩素剤とを混合して反応させたもの、特にそれぞれを水溶液の状態で混合して反応させたものが好ましい。
【００６０】
このような結合塩素剤としては、クロラミンや塩素系酸化剤とスルファミン酸化合物とからなる結合塩素剤のほか、クロラミン−Ｔ（Ｎ−クロロ−４−メチルベンゼンスルホンアミドのナトリウム塩）、クロラミン−Ｂ（Ｎ−クロロ−ベンゼンスルホンアミドのナトリウム塩）、Ｎ−クロロ−パラニトロベンゼンスルホンアミドのナトリウム塩、トリクロロメラミン、モノ−もしくはジ−クロロメラミンのナトリウム塩またはカリウム塩、トリクロロ−イソシアヌレート、モノ−もしくはジ−クロロイソシアヌール酸のナトリウム塩またはカリウム塩、モノ−もしくはジ−クロロスルファミン酸のナトリウム塩またはカリウム塩、モノクロロヒダントインもしくは１，３−ジクロロヒダントイン、５，５−ジメチルヒダントインのような５，５−アルキル誘導体等が挙げられる。
【００６１】
また、ボイラ水処理においては、清缶剤、脱酸素剤、アミン類が単独、もしくは複合して用いられている。清缶剤としては、リン酸及び／又はその塩、重合リン酸及び／又はその塩、ホスホン酸及び／又はその塩、ＥＤＴＡ等のキレート剤、ポリ（メタ）アクリル酸及び／又はその塩、ＡＭＰＳとアクリル酸及び／又はメタクリル酸を含む重合体などが適用できる。脱酸素剤としては、１−アミノ−４−メチルピペラジン、ヒドラジン、カルボヒドラジド、エリソルビン酸及び／又はその塩、グルコン酸及び／又はその塩、Ｎ，Ｎ−ジエチルヒドロキシルアミン、亜硫酸及び／又はその塩、重亜硫酸及び／又はその塩、タンニン酸及び／又はその塩、没食子酸及び／又はその塩、イソプロピルヒドロキシルアミン等が適用できる。アミン類としては、モノイソプロパノールアミン、３−メトキシ−プロピルアミン、シクロヘキシルアミン、２−アミノエタノール、２−アミノ−２−メチル−１−プロパノール、モルフォリン、２−ジエチルアミノエタノール等の中和性アミンやオクタデシルアミン等の皮膜性アミンを適用することができる。
【００６２】
前処理５のＭＦ膜透過水の一部を洗車用水などとして用いることができる。また、膜分離工程６のＲＯ膜透過水を廃熱ボイラのボイラ原水、機器冷却水、プラント用水などとして用いることができる。前記ＭＦ膜透過水、前記ＲＯ膜透過水などの透過水を海、河川、又は下水等へ放流してもよい。
【００６３】
焼却プラントにおいては、燃焼排ガスに含まれ得るＮＯｘガスを除去すべく、燃焼排ガスとアンモニアとを混合した混合ガスを脱硝触媒と接触させ、接触還元反応により、ＮＯｘガスを分解することなどがおこなわれている。この燃焼排ガス中にはアンモニアが残存することから、焼却プラントから排出される排水には、アンモニア（アンモニウムイオン）が含まれることがある。そのため、前処理工程の上流側に生物処理装置を設け、アンモニウムイオン等を減少させるようにしてもよい。
【００６４】
前記生物処理工程は、例えば、好気性微生物を利用して硝化工程を実施する硝化槽と、通性嫌気性微生物を利用して脱窒工程を実施する脱窒槽とを備えた生物処理装置等を用いることができる。
【００６５】
なお、詳細な記述は省略するが、焼却プラントでごみを焼却すると、ＨＣｌ、ＳＯＸ等の有害ガス、ダイオキシン、重金属を含む飛灰等が発生するため、これらを処理する工程が必要となる。例えば、集塵器の手前で酸性ガス処理を行う場合には消石灰や重曹、水酸化ヒドロマイトを添加したり、減温装置やスクラバーにおいて酸性ガス処理を行う場合にはＮａＯＨ等のアルカリを用いた中和処理等の公知の処理手段が適用される。また、ダイオキシン処理や飛灰処理においても公知の方法が適用される。
【実施例】
【００６６】
［実施例１］
可燃ごみを焼却する焼却プラントから排出されるボイラブロー水、冷却塔ブロー水、雑排水、生活排水、洗車排水及び床洗浄排水を図３のフローに従って処理した。
【００６７】
ボイラブロー水１０ｍ３／ｈと冷却塔ブロー水１０ｍ３／ｈはそのまま前処理（ＭＦ膜１１）に供給した。
【００６８】
雑排水２ｍ３／ｈについては第１の予備処理（ＰＡＣ１０ｍｇ／Ｌ及び高分子ポリマー２ｍｇ／Ｌ添加による凝集処理１３と重力２層砂濾過処理１４）によって処理した後、ＭＦ膜１１に供給した。ＭＦ膜１１の透過水（回収率９５％）はＲＯ膜１２に供給し、その透過水（回収率７５％）１７ｍ３／ｈは冷却塔に補給水として供給した。
【００６９】
ＲＯ濃縮水６ｍ３／ｈについては、減温装置１８にて噴霧した。ＭＦ膜１１の濃縮水については、凝集処理１３に供給した。
【００７０】
生活排水２ｍ３／ｈは、生物処理１５の後、凝集処理１３に供給した。
【００７１】
洗車排水１ｍ３／ｈ及び床洗浄排水１ｍ３／ｈについては、第２の予備処理（ＰＡＣ１０ｍｇ／Ｌ及び高分子ポリマー２ｍｇ／Ｌによる凝集処理１６と、重力２層砂濾過処理１７）を行い、減温装置１８にて噴霧した。
【００７２】
ボイラブロー水には分散剤、冷却水ブロー水には分散剤とスライムコントロール剤が含まれており、これらを含む混合排水をＭＦ膜１１処理後、ＲＯ膜１２処理を行うことにより、ＲＯ膜処理でスライムコントロール剤、分散剤を添加しなくても安定的に処理を行うことができた。また、床洗浄排水、洗車排水をこれらとは別系統で処理することにより、ＲＯ膜１２の回収率を高くすることができた。減温装置３に送る水量は図１のとおり、８ｍ３／ｈと少なく、熱回収装置２（図２）の熱回収量が増加した。ＲＯ膜１２の回収水１７ｍ３／ｈは冷却水の補給水として再利用でき、その分補給水量を削減することができた。
【００７３】
［比較例１］
実施例１の焼却プラントの各排水を図４のフローに従って処理した。即ち、生活排水以外の上記各排水（それぞれの流量は実施例１と同じ）をそのままＰＡＣ２００ｍｇ／Ｌ、高分子ポリマー２ｍｇ／Ｌ添加による凝集処理２１を行った。生活排水２ｍ３／ｈについては、生物処理２５を行った後、凝集処理２１に供給した。凝集処理２１の処理水を重力２層砂濾過処理濾過２２を行い、ＭＦ膜２３に供給し、透過水（回収率９５％）をＲＯ膜２４に供給し、ＲＯ透過水１５ｍ３／ｈ（回収率６０％）を冷却塔補給水として用いた。ＭＦ膜２３の濃縮水１ｍ３／ｈ及びＲＯ膜２４の濃縮水９ｍ３／ｈを減温装置１８にて噴霧した。
【００７４】
この比較例１では、減温装置３に供給される濃縮水量が１０ｍ３／ｈと多いため、熱回収装置２での熱回収量を減少させて、減温装置３への導入排ガス温度を高くする必要があった。
【００７５】
ボイラブロー水、冷却水ブロー水に含まれる分散剤のため、ＰＡＣ添加量は２００ｍｇ／Ｌ必要であった。また、膜処理の安定化のためにスライムコントロール剤、分散剤が必要であった。膜処理スライムコントロール剤としては、クリバーターＥＣ−５０３  ５ｍｇ／Ｌを用いた。膜処理分散剤としては、クリバーター  Ｎ−５００  ５ｍｇ／Ｌを用いた。
【００７６】
こお比較例１では、床洗浄排水、洗車排水から油分が混入したため、ＲＯの回収率は６０％に低下した。また、凝集処理の水量が多くなり、巨大な前処理設備が必要であった。
【符号の説明】
【００７７】
３  減温装置
５  前処理工程
６  膜分離工程
７  第１の予備処理
８  第２の予備処理
【図１】
2016190223.tif 000003
【図２】
2016190223.tif 000004
【図３】
2016190223.tif 000005
【図４】
2016190223.tif 000006
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
有機物を燃焼させる焼却装置と、該焼却装置から排出される燃焼排ガスの熱を回収する熱回収装置と、該熱回収装置で熱回収された燃焼排ガスをさらに減温させる減温装置とを備えた焼却プラントから排出される排水の排水処理方法であって、
焼却プラントから排出される排水を分離膜によって透過水と濃縮水とに分離する膜分離工程を行い、該濃縮水の少なくとも一部を前記減温装置に供給し前記燃焼排ガス中に吹き込んで蒸発させることにより燃焼排ガスを減温させる焼却プラントの排水処理方法において、
焼却プラント排水のうち、ボイラ保缶水、ボイラブロー水、冷却塔ブロー水、及び雑排水の少なくとも２種を混合した混合排水を前記膜分離処理工程に供給する焼却プラントの排水処理方法であって、
下記（ア）及び（イ）の処理、或いは下記（ア）及び（ウ）の処理を行うことを特徴とする焼却プラントの排水処理方法。
（ア） ボイラブロー水及び冷却塔ブロー水の混合排水を、濾過器、ＭＦ膜、又はＵＦ膜を用いた前処理装置で処理した後、前記膜分離工程において、ＲＯ膜によって膜分離処理する。
（イ） 雑排水を、中和、凝集、沈殿、濾過、及び生物処理の内の少なくとも１つを有する第１の予備処理工程で処理した後、上記（ア）の混合排水として処理する。
（ウ） 床洗浄排水及び洗車排水の少なくとも一方を中和、凝集、沈殿、濾過、生物処理の内の少なくとも１つを有する第２の予備処理工程で処理した後、上記（ア）のＲＯ膜分離濃縮水と共に前記減温装置に供給する。
【請求項２】
有機物を燃焼させる焼却装置と、該焼却装置から排出される燃焼排ガスの熱を回収する熱回収装置と、該熱回収装置で熱回収された燃焼排ガスをさらに減温させる減温装置とを備えた焼却プラントから排出される排水の排水処理方法であって、
焼却プラントから排出される排水を分離膜によって透過水と濃縮水とに分離する膜分離工程を行い、該濃縮水の少なくとも一部を前記減温装置に供給し前記燃焼排ガス中に吹き込んで蒸発させることにより燃焼排ガスを減温させる焼却プラントの排水処理方法において、
焼却プラント排水のうち、ボイラ保缶水、ボイラブロー水、冷却塔ブロー水、及び雑排水の少なくとも２種を混合した混合排水を前記膜分離処理工程に供給する焼却プラントの排水処理方法であって、
下記（エ）及び（オ）の処理を行うことを特徴とする焼却プラントの排水処理方法。
（エ） 界面活性剤を含まない排水の混合排水を、濾過器、ＭＦ膜、又はＵＦ膜を用いた前処理装置で処理した後、前記膜分離工程において、ＲＯ膜によって膜分離処理する。
（オ） 界面活性剤を含む排水を、中和、凝集、沈殿、濾過、生物処理の内の少なくとも１つを有する第２の予備処理工程で処理した後、上記（エ）のＲＯ膜分離濃縮水と共に前記減温装置へ供給する。
【請求項３】
請求項２において、界面活性剤を含まない雑排水を中和、凝集、沈殿、濾過、及び生物処理の内の少なくとも１つを有する第１の予備処理工程で処理した後、前記（エ）の混合排水として処理することを特徴とする焼却プラントの排水処理方法。
【請求項４】
請求項１又は３において、前記前処理装置の濃縮水又は逆洗排水を前記第１の予備処理工程に送ることを特徴とする焼却プラントの排水処理方法。
【手続補正２】
【補正対象書類名】明細書
【補正対象項目名】００１２
【補正方法】変更
【補正の内容】
【００１２】
請求項１の焼却プラントの排水処理方法は、有機物を燃焼させる焼却装置と、該焼却装置から排出される燃焼排ガスの熱を回収する熱回収装置と、該熱回収装置で熱回収された燃焼排ガスをさらに減温させる減温装置とを備えた焼却プラントから排出される排水の排水処理方法であって、焼却プラントから排出される排水を分離膜によって透過水と濃縮水とに分離する膜分離工程を行い、該濃縮水の少なくとも一部を前記減温装置に供給し前記燃焼排ガス中に吹き込んで蒸発させることにより燃焼排ガスを減温させる焼却プラントの排水処理方法において、焼却プラント排水のうち、ボイラ保缶水、ボイラブロー水、冷却塔ブロー水、及び雑排水の少なくとも２種を混合した混合排水を前記膜分離処理工程に供給する焼却プラントの排水処理方法であって、下記（ア）及び（イ）の処理、或いは下記（ア）及び（ウ）の処理を行うことを特徴とするものである。
（ア） ボイラブロー水及び冷却塔ブロー水の混合排水を、濾過器、ＭＦ膜、又はＵＦ膜を用いた前処理装置で処理した後、前記膜分離工程において、ＲＯ膜によって膜分離処理する。
（イ） 雑排水を、中和、凝集、沈殿、濾過、及び生物処理の内の少なくとも１つを有する第１の予備処理工程で処理した後、上記（ア）の混合排水として処理する。
（ウ） 床洗浄排水及び洗車排水の少なくとも一方を中和、凝集、沈殿、濾過、生物処理の内の少なくとも１つを有する第２の予備処理工程で処理した後、上記（ア）のＲＯ膜分離濃縮水と共に前記減温装置に供給する。
請求項２の焼却プラントの排水処理方法は、有機物を燃焼させる焼却装置と、該焼却装置から排出される燃焼排ガスの熱を回収する熱回収装置と、該熱回収装置で熱回収された燃焼排ガスをさらに減温させる減温装置とを備えた焼却プラントから排出される排水の排水処理方法であって、焼却プラントから排出される排水を分離膜によって透過水と濃縮水とに分離する膜分離工程を行い、該濃縮水の少なくとも一部を前記減温装置に供給し前記燃焼排ガス中に吹き込んで蒸発させることにより燃焼排ガスを減温させる焼却プラントの排水処理方法において、焼却プラント排水のうち、ボイラ保缶水、ボイラブロー水、冷却塔ブロー水、及び雑排水の少なくとも２種を混合した混合排水を前記膜分離処理工程に供給する焼却プラントの排水処理方法であって、下記（エ）及び（オ）の処理を行うことを特徴とするものである。
（エ） 界面活性剤を含まない排水の混合排水を、濾過器、ＭＦ膜、又はＵＦ膜を用いた前処理装置で処理した後、前記膜分離工程において、ＲＯ膜によって膜分離処理する。
（オ） 界面活性剤を含む排水を、中和、凝集、沈殿、濾過、生物処理の内の少なくとも１つを有する第２の予備処理工程で処理した後、上記（エ）のＲＯ膜分離濃縮水と共に前記減温装置へ供給する。
【手続補正３】
【補正対象書類名】明細書
【補正対象項目名】００１３
【補正方法】変更
【補正の内容】
【００１３】
本発明の一態様では、界面活性剤を含まない雑排水を中和、凝集、沈殿、濾過、及び生物処理の内の少なくとも１つを有する第１の予備処理工程で処理した後、前記（エ）の混合排水として処理する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明の一態様では、前記前処理装置の濃縮水又は逆洗排水を前記第１の予備処理工程に送る。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】